(57)【特許請求の範囲】
【請求項１】
重物を固定対象部から吊り下げる装置であって、
前記固定対象部に固定される固定部材と、この固定部材に連結される前記重物の載置部を有する吊上げ部材と、を有し、
前記固定部材及び前記吊上げ部材には横方向を軸とする軸部材が備わり、前記固定部材には紐状部材が備わり、
この紐状部材は、前記固定部材から前記吊上げ部材に向かい、この吊上げ部材に備わる軸部材の下側周面に案内されて向きが変わり、この向きが変わった紐状部材が、前記吊上げ部材から前記固定部材に向かい、この固定部材に備わる軸部材の上側周面に案内されて向きが変わる、ように通され、
この向きが変わった紐状部材を引くと、前記吊上げ部材が上方に移動して前記固定部材と当接する構成とされている、ことを特徴とする重物吊下げ装置。
【請求項２】
前記軸部材が滑車である、請求項１記載の重物吊下げ装置。
【請求項３】
前記固定部材は、前記固定対象部から下方に延出する上側枠部を有し、前記吊上げ部材は、前記載置部から上方に延出する下側枠部を有し、
前記紐状部材は、前記下側枠部の上端部から前記上側枠部の下端部に向かう部位を有するように通され、
前記紐状部材を引くと、前記吊上げ部材が上方に移動して、前記上側枠部の下端部及び前記下側枠部の上端部が、一方が他方内に嵌入する構成とされている、請求項１又は請求項２記載の重物吊下げ装置。
【請求項４】
前記固定部材は、前記重物の幅方向に離間して並列配置された前記固定対象部から下方に延出する筒状の第１の上側枠部及び第２の上側枠部、並びに、これら第１及び第２の上側枠部から前記重物の奥行き方向に離間して並列配置された前記固定対象部から下方に延出する筒状の第３の上側枠部及び第４の上側枠部、を有し、
前記吊上げ部材は、前記重物の幅方向に離間して並列配置された前記載置部から上方に延出する筒状の第１の下側枠部及び第２の下側枠部、並びに、これら第１及び第２の下側枠部から前記重物の奥行き方向に離間して並列配置された前記載置部から上方に延出する筒状の第３の下側枠部及び第４の下側枠部、を有し、
前記第１の上側枠部及び下側枠部、前記第２の上側枠部及び下側枠部、前記第３の上側枠部及び下側枠部、並びに、前記第４の上側枠部及び下側枠部は、それぞれ同軸的に配置され、
前記第１及び第２の下側枠部の下端部間には、水平方向を軸とする筒状の第１の架渡し部が連接され、前記第３及び第４の下側枠部の下端部間には、水平方向を軸とする筒状の第２の架渡し部が連接され、
前記紐状部材を引くと、前記吊上げ部材が上方に移動して、前記第１の上側枠部の下端部及び前記第１の下側枠部の上端部、前記第２の上側枠部の下端部及び前記第２の下側枠部の上端部、前記第３の上側枠部の下端部及び前記第３の下側枠部の上端部、並びに、前記第４の上側枠部の下端部及び前記第４の下側枠部の上端部が、それぞれ一方が他方内に嵌入する構成とされている、請求項１又は請求項２記載の重物吊下げ装置。
【請求項５】
前記第１及び第３の上側枠部の上端部、並びに、前記第１から第４の下側枠部の下端部には、それぞれ横方向を軸とする軸部材が備わり、前記第２及び第４の上側枠部には、それぞれ紐状部材が備わり、
これらの紐状部材は、前記第２又は第４の上側枠部内を通って下方に向かい、更に前記第２又は第４の下側枠部内を通って下方に向かった後、前記第２又は第４の下側枠部に備わる軸部材の下側周面に案内されて向きが変わり、これらの向きが変わった紐状部材が、それぞれ前記第１又は第２の架渡し部内を通って前記第１又は第３の下側枠部側に向かった後、前記第１又は第３の下側枠部に備わる軸部材の下側周面に案内されて向きが変わり、これらの向きが変わった紐状部材が、それぞれ前記第１又は第３の下側枠部内を通って上方に向かい、更に前記第１又は第３の上側枠部内を通って上方に向かった後、前記第１又は第３の上側枠部に備わる軸部材の上側周面に案内されて向きが変わる、ように通されている、請求項４記載の重物吊下げ装置。
【請求項６】
前記第２から第４の上側枠部の上端部、及び、前記第１から第４の下側枠部の下端部には、それぞれ横方向を軸とする軸部材が備わり、前記第１の上側枠部には、紐状部材が備わり、
この紐状部材は、前記第１の上側枠部内を通って下方に向かい、更に前記第１の下側枠部内を通って下方に向かった後、前記第１の下側枠部に備わる軸部材の下側周面に案内されて向きが変わり、この向きが変わった紐状部材が、前記第１の架渡し部内を通って前記第２の下側枠部側に向かった後、前記第２の下側枠部に備わる軸部材の下側周面に案内されて向きが変わり、この向きが変わった紐状部材が、前記第２の下側枠部内を通って上方に向かい、更に前記第２の上側枠部内を通って上方に向かった後、前記第２の上側枠部に備わる軸部材の上側周面に案内されて向きが変わり、この向きが変わった紐状部材が、前記第４の上側枠部に向かった後、この第４の上側枠部に備わる軸部材の上側周面に案内されて向きが変わり、この向きが変わった紐状部材が、前記第４の上側枠部内を通って下方に向かい、更に前記第４の下側枠部内を通って下方に向かった後、前記第４の下側枠部に備わる軸部材の下側周面に案内されて向きが変わり、この向きが変わった紐状部材が、前記第２の架渡し部内を通って前記第３の下側枠部側に向かった後、前記第３の下側枠部に備わる軸部材の下側周面に案内されて向きが変わり、この向きが変わった紐状部材が、前記第３の下側枠部内を通って上方に向かい、更に前記第３の上側枠部内を通って上方に向かった後、前記第３の上側枠部に備わる軸部材の上側周面に案内されて向きが変わる、ように通されている、請求項４記載の重物吊下げ装置。
【請求項７】
前記第１から第４の上側枠部の上端部、及び、前記第１から第４の下側枠部の下端部には、それぞれ横方向を軸とする軸部材が備わり、前記第１の上側枠部には、紐状部材が備わり、
この紐状部材は、前記第１の上側枠部内を通って下方に向かい、更に前記第１の下側枠部内を通って下方に向かった後、前記第１の下側枠部に備わる軸部材の下側周面に案内されて向きが変わり、この向きが変わった紐状部材が、前記第１の下側枠部内を通って上方に向かい、更に前記第１の上側枠部内を通って上方に向かった後、前記第１の上側枠部に備わる軸部材の上側周面に案内されて向きが変わり、この向きが変わった紐状部材が、前記第２の上側枠部に向かった後、この第２の上側枠部に備わる軸部材の上側周面に案内されて向きが変わり、この向きが変わった紐状部材が、前記第２の上側枠部内を通って下方に向かい、更に前記第２の下側枠部内を通って下方に向かった後、前記第２の下側枠部に備わる軸部材の下側周面に案内されて向きが変わり、この向きが変わった紐状部材が、前記第２の下側枠部内を通って上方に向かい、更に前記第２の上側枠部内を通って上方に向かった後、前記第２の上側枠部に備わる軸部材の上側周面に案内されて向きが変わり、この向きが変わった紐状部材が、前記第４の上側枠部に向かった後、この第４の上側枠部に備わる軸部材の上側周面に案内されて向きが変わり、この向きが変わった紐状部材が、前記第４の上側枠部内を通って下方に向かい、更に前記第４の下側枠部内を通って下方に向かった後、前記第４の下側枠部に備わる軸部材の下側周面に案内されて向きが変わり、この向きが変わった紐状部材が、前記第４の下側枠部内を通って上方に向かい、更に前記第４の上側枠部内を通って上方に向かった後、前記第４の上側枠部に備わる軸部材の上側周面に案内されて向きが変わり、この向きが変わった紐状部材が、前記第３の上側枠部に向かった後、この第３の上側枠部に備わる軸部材の上側周面に案内されて向きが変わり、この向きが変わった紐状部材が、前記第３の上側枠部内を通って下方に向かい、更に前記第３の下側枠部内を通って下方に向かった後、前記第３の下側枠部に備わる軸部材の下側周面に案内されて向きが変わり、この向きが変わった紐状部材が、前記第３の下側枠部内を通って上方に向かい、更に前記第３の上側枠部内を通って上方に向かった後、前記第３の上側枠部に備わる軸部材の上側周面に案内されて向きが変わる、ように通されている、請求項４記載の重物吊下げ装置。
【請求項８】
前記上側枠部の下端部及び前記下側枠部の上端部には、それぞれ一方に係止部が他方に受け係止部が設けられており、
前記嵌入をしたときに、前記係止部及び前記受け係止部が係合して連結される、請求項３〜７のいずれか１項に記載の重物吊下げ装置。
【発明の詳細な説明】
【技術分野】
【０００１】
本発明は、エアコン室外機等の重物の吊下げ装置に関するものである。
【背景技術】
【０００２】
エアコン室外機等の重物を、マンション等の設置スペースを十分に確保することができない場所に設置する場合においては、上階のベランダの下側（裏側）面や、窓横、窓上の壁面等の固定対象部から吊り下げるのが、一般的である。そして、上階のベランダ下側面から吊り下げる場合はもちろん、壁面等から吊り下げる場合においても、ベランダの有効利用等を図るために、固定対象部は通常高所である。
一方、この重物の吊下げにあたっては、重物の載置部と、この載置部から上方に延出する枠部と、を有する設置架台が、利用されている。この設置架台を利用して重物を設置するにあたっては、固定対象部にあらかじめ取り付けられているアンカーボルトやアンカーナット等の締結部材と枠部の上端部とを、直接又は他の部材を介して連結する一方、この連結に前後して、載置部に重物を載せて固定する。
しかしながら、このように重物を高所に設置するのは、かなりの重労働であり、また、安全性に問題が生じる場合もある。特に、エアコン室外機等は、通常２５〜６０ｋｇとかなりの重さを有するため、この種の問題が著しいものとなる。また、近年では、作業コストを低く抑えるために、一人での設置作業となる場合もあり、この種の問題はいっそう顕著なものとなっている。
【０００３】
そこで、少しでもエアコン室外機等の重物を容易に、また、安全に設置することができるよう、設置架台の改良が提案されている。
具体的には、例えば、枠部と載置部とをボルト等を用いず係合によって連結することができるようにした設置架台（例えば、特許文献１参照。）、枠部と載置部とがあらかじめ一体化された設置架台（例えば、特許文献２参照。）、固定対象部の締結部材と枠部の上端部とを連結するについて、他の部材（以下、この他の部材を「介在部材」という。）を介在させるとともに、この介在部材に枠部をねじで固定するについて、このねじのねじ込み方向を特定して作業の容易化を図った設置架台（例えば、特許文献３参照。）、介在部材に枠部を係合によって連結することができるようにするとともに、この係合が意図せずに外れることのないようにした設置架台（例えば、特許文献４、特許文献５参照。）、枠部が介在部材との連結部（上端部）を中心にして重物の幅方向に回転可能になっており、この回転によって枠部が障害にならず重物を容易に設置することができるようにした設置架台（例えば、特許文献６参照。）、枠部と介在部材との係合関係を改良して枠部が固定対象部に衝突するまで持ち上げなくても枠部と介在部材とを係合することができるようにし、もって重物を固定対象部近くに容易に設置することができるようにした設置架台（例えば、特許文献７参照。）、介在部材を改良して、固定対象部が面状ではなくフレーム等である場合にも対応可能とし、もって重物を容易に設置することができるようにした設置架台（例えば、特許文献８参照。）、枠部と載置部との連結構造を相互に摺動可能な嵌合構造とし、かかる嵌合摺動部に互いが係止する係止部を設けた設置架台（例えば、特許文献９参照。）、などがある。
また、固定対象部がベランダ下側面等の水平面ではなく壁面等の垂直面である場合に適用可能なものとしては、例えば、介在部材及び枠部の一方がフックを有し、他方がかかるフックと係合する受け係止部を有する設置架台（例えば、特許文献１０参照。）、枠部に備えられた下向きに開口する鉤状の接続部と介在部材に備えられた上向きに開口する接続部とが互いに噛み合うことによって重物が設置される設置架台（例えば、特許文献１１参照。）、などがある。
【０００４】
しかしながら、これらのように設置架台を改良したとしても、人力で重物を高所に持ち上げるという作業がともなう以上、作業の容易性、安全性は十分なものとはならない。そこで、重物の設置用として、さまざまな吊上げ装置が、提案されている。
具体的には、例えば、上端部が固定対象部の締結部材に固定され下端部が床面に接地される長さ調節可能な支柱と、この支柱に配設され重物を載置した状態で昇降可能なリフト部とを有する吊上げ装置（例えば、特許文献１２参照。）、一対の枠部間に亘設される回動軸と、この回動軸に吊下げロープで吊り下げられる重物の載置部とを有し、回動軸を回動して吊下げロープを巻き上げ、その後、載置部と枠部とを連結することで重物を設置する構成とされた吊上げ装置（例えば、特許文献１３参照。）、固定対象部の締結部材に掛合される本体と、この本体に連結された重物の吊上げ手段と、この吊上げ手段を昇降操作するウインチと、を有する吊上げ装置（例えば、特許文献１４参照。）、固定対象部の締結部材に固定される固定体と、この固定体からフレキシブルな条材によって吊り下げられる重物の載置部と、固定体から下方に延出する操作部の下端部に取り付けられた条材を巻き取るウインチと、を有する吊上げ装置（例えば、特許文献１５参照。）、この吊上げ装置の改良形態、すなわち、固定体を縦材及び斜材を用いて１本のねじにより固定対象部に固定することができるようにし、もって固定対象部が壁面等の垂直面である場合にも用いることができるようにした吊上げ装置（例えば、特許文献１６参照。）、介在部材が枠部を連結するための係合部を有することを前提に、かかる係合部を利用して設置する吊上げ装置（例えば、特許文献１７参照。）、などがある。
【０００５】
しかしながら、これらの吊上げ装置は、複雑な機械的構造を有するため、高価である。もちろん、たとえ高価であっても、それに見合うだけの効果を得られればよいが、これらの吊上げ装置は、汎用性が低く、通常、エアコン室外機の吊上げにしか用いることができない。しかも、これらの吊上げ装置は、市場に流通する多くの設置架台に適用可能というわけではない。例えば、特許文献１７に示す吊上げ装置は、特定の形状の係合部を有する設置架台にのみ適用可能である。また、形式的には設置架台の形状が限定されない場合であっても、安全性の観点から、現実には、適応設置架台を自社製品等に限定している場合がある。このほか、固定対象部が、例えば、ベランダ下側面となる場合においては、ベランダ下側面近傍に吊上げ装置の固定スペースを確保する必要があるため、設置架台をベランダ下側面近傍に設置することができない場合もある。また、設置架台を吊上げ装置で吊り上げたとしても、その後、固定対象面の締結部材に対する枠部の連結や、載置部と重物との連結、吊上げ装置の固定対象面からの取り外し等を、行わなければならない場合もある。そして、これらは、高所での作業となるため、脚立等の上での作業となり、作業の容易性や安全性が阻害される。
【０００６】
一方、例えば、特許文献１４や特許文献１６、特許文献１７等の吊上げ装置は、重物にベルトを巻き付けて吊り上げる形態となっている。しかしながら、この形態によると、重物の本来力がかかることが予定されていない部位に力がかかることになるため、作業の慎重性が要求され、作業効率が低下する。特に、例えば、重物がエアコン室外機である場合においては、背面に熱交換用のアルミフィンや温度感知用のセンサー等の繊細な部品が配置されている場合もある。したがって、これらの部品が、巻き付けられたベルトから力を受けて、破損・損傷するおそれがある。また、エアコン室外機の天面は、塗装された鋼板でできている場合も多く、巻き付けられたベルト等によって、その塗装に傷が付くおそれもある。さらに、エアコン室外機は、その構造上、コンプレッサーやモーター等の比重の大きいパーツ（部品）が偏在しており、吊り上げた際のバランスが悪い場合もある。したがって、バランス良く吊り上げるのが難しく、特に、高層マンションの上層階等では、風が強いため、安全性の点で問題が生じる場合もある。したがって、エアコン等の重物は、結局、人力によって持ち上げ、設置しているケースが多いのが実情である。
【特許文献１】特開平９−２４３１１４号公報
【特許文献２】特開平１０−１９３０８号公報
【特許文献３】特開２０００−２５７９１９号公報
【特許文献４】特開平８−１５９５１９号公報
【特許文献５】特開２００３−１８５１９６号公報
【特許文献６】特開２００１−１５３４０３号公報
【特許文献７】特開平９−２６４５６７号公報
【特許文献８】特開平８−３２７０９６号公報
【特許文献９】特開平９−１９６４２１号公報
【特許文献１０】特開平８−３０３８２０号公報
【特許文献１１】特開平９−２２９４２８号公報
【特許文献１２】特開平７−２９１５９０号公報
【特許文献１３】特開平９−２１０４１１号公報
【特許文献１４】特開平１１−５６９２号公報
【特許文献１５】特開平１１−１３９７７９号公報
【特許文献１６】特開平１１−１３９７８０号公報
【特許文献１７】特開２００１−３２２７９９号公報
【発明の開示】
【発明が解決しようとする課題】
【０００７】
本発明が解決しようとする主たる課題は、重物を容易に設置することができ、しかも安価な重物の吊下げ装置を提供することにある。
【課題を解決するための手段】
【０００８】
この課題を解決した本発明は、次のとおりである。
【０００９】
〔請求項１記載の発明〕
重物を固定対象部から吊り下げる装置であって、
前記固定対象部に固定される固定部材と、この固定部材に連結される前記重物の載置部を有する吊上げ部材と、を有し、
前記固定部材及び前記吊上げ部材には横方向を軸とする軸部材が備わり、前記固定部材には紐状部材が備わり、
この紐状部材は、前記固定部材から前記吊上げ部材に向かい、この吊上げ部材に備わる軸部材の下側周面に案内されて向きが変わり、この向きが変わった紐状部材が、前記吊上げ部材から前記固定部材に向かい、この固定部材に備わる軸部材の上側周面に案内されて向きが変わる、ように通され、
この向きが変わった紐状部材を引くと、前記吊上げ部材が上方に移動して前記固定部材と当接する構成とされている、ことを特徴とする重物吊下げ装置。
【００１０】
〔請求項２記載の発明〕
前記軸部材が滑車である、請求項１記載の重物吊下げ装置。
【００１１】
〔請求項３記載の発明〕
前記固定部材は、前記固定対象部から下方に延出する上側枠部を有し、前記吊上げ部材は、前記載置部から上方に延出する下側枠部を有し、
前記紐状部材は、前記下側枠部の上端部から前記上側枠部の下端部に向かう部位を有するように通され、
前記紐状部材を引くと、前記吊上げ部材が上方に移動して、前記上側枠部の下端部及び前記下側枠部の上端部が、一方が他方内に嵌入する構成とされている、請求項１又は請求項２記載の重物吊下げ装置。
【００１２】
〔請求項４記載の発明〕
前記固定部材は、前記重物の幅方向に離間して並列配置された前記固定対象部から下方に延出する筒状の第１の上側枠部及び第２の上側枠部、並びに、これら第１及び第２の上側枠部から前記重物の奥行き方向に離間して並列配置された前記固定対象部から下方に延出する筒状の第３の上側枠部及び第４の上側枠部、を有し、
前記吊上げ部材は、前記重物の幅方向に離間して並列配置された前記載置部から上方に延出する筒状の第１の下側枠部及び第２の下側枠部、並びに、これら第１及び第２の下側枠部から前記重物の奥行き方向に離間して並列配置された前記載置部から上方に延出する筒状の第３の下側枠部及び第４の下側枠部、を有し、
前記第１の上側枠部及び下側枠部、前記第２の上側枠部及び下側枠部、前記第３の上側枠部及び下側枠部、並びに、前記第４の上側枠部及び下側枠部は、それぞれ同軸的に配置され、
前記第１及び第２の下側枠部の下端部間には、水平方向を軸とする筒状の第１の架渡し部が連接され、前記第３及び第４の下側枠部の下端部間には、水平方向を軸とする筒状の第２の架渡し部が連接され、
前記紐状部材を引くと、前記吊上げ部材が上方に移動して、前記第１の上側枠部の下端部及び前記第１の下側枠部の上端部、前記第２の上側枠部の下端部及び前記第２の下側枠部の上端部、前記第３の上側枠部の下端部及び前記第３の下側枠部の上端部、並びに、前記第４の上側枠部の下端部及び前記第４の下側枠部の上端部が、それぞれ一方が他方内に嵌入する構成とされている、請求項１又は請求項２記載の重物吊下げ装置。
【００１３】
〔請求項５記載の発明〕
前記第１及び第３の上側枠部の上端部、並びに、前記第１から第４の下側枠部の下端部には、それぞれ横方向を軸とする軸部材が備わり、前記第２及び第４の上側枠部には、それぞれ紐状部材が備わり、
これらの紐状部材は、前記第２又は第４の上側枠部内を通って下方に向かい、更に前記第２又は第４の下側枠部内を通って下方に向かった後、前記第２又は第４の下側枠部に備わる軸部材の下側周面に案内されて向きが変わり、これらの向きが変わった紐状部材が、それぞれ前記第１又は第２の架渡し部内を通って前記第１又は第３の下側枠部側に向かった後、前記第１又は第３の下側枠部に備わる軸部材の下側周面に案内されて向きが変わり、これらの向きが変わった紐状部材が、それぞれ前記第１又は第３の下側枠部内を通って上方に向かい、更に前記第１又は第３の上側枠部内を通って上方に向かった後、前記第１又は第３の上側枠部に備わる軸部材の上側周面に案内されて向きが変わる、ように通されている、請求項４記載の重物吊下げ装置。
【００１４】
〔請求項６記載の発明〕
前記第２から第４の上側枠部の上端部、及び、前記第１から第４の下側枠部の下端部には、それぞれ横方向を軸とする軸部材が備わり、前記第１の上側枠部には、紐状部材が備わり、
この紐状部材は、前記第１の上側枠部内を通って下方に向かい、更に前記第１の下側枠部内を通って下方に向かった後、前記第１の下側枠部に備わる軸部材の下側周面に案内されて向きが変わり、この向きが変わった紐状部材が、前記第１の架渡し部内を通って前記第２の下側枠部側に向かった後、前記第２の下側枠部に備わる軸部材の下側周面に案内されて向きが変わり、この向きが変わった紐状部材が、前記第２の下側枠部内を通って上方に向かい、更に前記第２の上側枠部内を通って上方に向かった後、前記第２の上側枠部に備わる軸部材の上側周面に案内されて向きが変わり、この向きが変わった紐状部材が、前記第４の上側枠部に向かった後、この第４の上側枠部に備わる軸部材の上側周面に案内されて向きが変わり、この向きが変わった紐状部材が、前記第４の上側枠部内を通って下方に向かい、更に前記第４の下側枠部内を通って下方に向かった後、前記第４の下側枠部に備わる軸部材の下側周面に案内されて向きが変わり、この向きが変わった紐状部材が、前記第２の架渡し部内を通って前記第３の下側枠部側に向かった後、前記第３の下側枠部に備わる軸部材の下側周面に案内されて向きが変わり、この向きが変わった紐状部材が、前記第３の下側枠部内を通って上方に向かい、更に前記第３の上側枠部内を通って上方に向かった後、前記第３の上側枠部に備わる軸部材の上側周面に案内されて向きが変わる、ように通されている、請求項４記載の重物吊下げ装置。
【００１５】
〔請求項７記載の発明〕
前記第１から第４の上側枠部の上端部、及び、前記第１から第４の下側枠部の下端部には、それぞれ横方向を軸とする軸部材が備わり、前記第１の上側枠部には、紐状部材が備わり、
この紐状部材は、前記第１の上側枠部内を通って下方に向かい、更に前記第１の下側枠部内を通って下方に向かった後、前記第１の下側枠部に備わる軸部材の下側周面に案内されて向きが変わり、この向きが変わった紐状部材が、前記第１の下側枠部内を通って上方に向かい、更に前記第１の上側枠部内を通って上方に向かった後、前記第１の上側枠部に備わる軸部材の上側周面に案内されて向きが変わり、この向きが変わった紐状部材が、前記第２の上側枠部に向かった後、この第２の上側枠部に備わる軸部材の上側周面に案内されて向きが変わり、この向きが変わった紐状部材が、前記第２の上側枠部内を通って下方に向かい、更に前記第２の下側枠部内を通って下方に向かった後、前記第２の下側枠部に備わる軸部材の下側周面に案内されて向きが変わり、この向きが変わった紐状部材が、前記第２の下側枠部内を通って上方に向かい、更に前記第２の上側枠部内を通って上方に向かった後、前記第２の上側枠部に備わる軸部材の上側周面に案内されて向きが変わり、この向きが変わった紐状部材が、前記第４の上側枠部に向かった後、この第４の上側枠部に備わる軸部材の上側周面に案内されて向きが変わり、この向きが変わった紐状部材が、前記第４の上側枠部内を通って下方に向かい、更に前記第４の下側枠部内を通って下方に向かった後、前記第４の下側枠部に備わる軸部材の下側周面に案内されて向きが変わり、この向きが変わった紐状部材が、前記第４の下側枠部内を通って上方に向かい、更に前記第４の上側枠部内を通って上方に向かった後、前記第４の上側枠部に備わる軸部材の上側周面に案内されて向きが変わり、この向きが変わった紐状部材が、前記第３の上側枠部に向かった後、この第３の上側枠部に備わる軸部材の上側周面に案内されて向きが変わり、この向きが変わった紐状部材が、前記第３の上側枠部内を通って下方に向かい、更に前記第３の下側枠部内を通って下方に向かった後、前記第３の下側枠部に備わる軸部材の下側周面に案内されて向きが変わり、この向きが変わった紐状部材が、前記第３の下側枠部内を通って上方に向かい、更に前記第３の上側枠部内を通って上方に向かった後、前記第３の上側枠部に備わる軸部材の上側周面に案内されて向きが変わる、ように通されている、請求項４記載の重物吊下げ装置。
【００１６】
〔請求項８記載の発明〕
前記上側枠部の下端部及び前記下側枠部の上端部には、それぞれ一方に係止部が他方に受け係止部が設けられており、
前記嵌入をしたときに、前記係止部及び前記受け係止部が係合して連結される、請求項３〜７のいずれか１項に記載の重物吊下げ装置。
【００１７】
【発明の効果】
【００１８】
本発明によると、重物を容易に設置することができ、しかも安価な重物の吊下げ装置となる。
【発明を実施するための最良の形態】
【００１９】
次に、本発明の実施の形態を説明する。
〔第１の基本形態（参考）〕
図１に示すように、本形態の吊下げ装置は、図示しない固定対象部に固定される固定部材１０と、この固定部材１０に連結される図示しない重物の載置部を有する吊上げ部材２０と、を有する。また、固定部材１０には横方向を軸とする軸部材が、好ましくは図示例のように滑車３が備わり、吊上げ部材２０には、紐やロープ等の紐状部材Ｓが、適宜固定される等して備わる。そして、この紐状部材Ｓは、吊上げ部材２０から固定部材１０に向かい軸部材の、図示例では滑車３の上側周面３ａに案内されて向きが変わるように通され、この向きが変わった紐状部材Ｓを引くと、吊上げ部材２０が上方に移動して固定部材１０と当接する構成とされている。この形態によると、例えば、重物の質量がＷであるとした場合、この重物を固定対象部に向けて吊り上げるために紐状部材Ｓを引く力もＷとなる。しかしながら、紐状部材Ｓを引く方向は、重物を吊り上げる方向、つまり上方ではなく、横方向、あるいは図示例のように下方向となる。したがって、本装置を利用すれば、自分の体重を利用すること等ができ、重物を吊り上げるための力を加え易くなるため、設置容易となる。また、本装置は、基本的に滑車等の軸部材と紐やロープ等の紐状部材とが新たに必要になるのみであるため、安価である。さらに、本装置は、軸部材として滑車３以外を利用することもできるが、滑車３を利用すれば、紐状部材Ｓとの間の摩擦抵抗がなくなるため、紐状部材Ｓを引く力が弱くても足りる。
【００２０】
〔第２の基本形態〕
図２に示すように、本形態の吊下げ装置は、図示しない固定対象部に固定される固定部材１０と、この固定部材１０に連結される図示しない重物の載置部を有する吊上げ部材２０と、を有する。また、固定部材１０及び吊上げ部材２０には横方向を軸とする軸部材が、好ましくは図示例のように滑車３が備わり、固定部材１０には紐やロープ等の紐状部材Ｓが、適宜固定される等して備わる。そして、この紐状部材Ｓは、固定部材１０から吊上げ部材２０に向かい、この吊上げ部材２０の図示例では下端部に備わる滑車３の下側周面３ｂに案内されて向きが変わり、この向きが変わった紐状部材Ｓが、吊上げ部材２０から固定部材１０に向かい、この固定部材１０の図示例では上端部に備わる滑車３の上側周面３ａに案内されて向きが変わる、ように通され、この向きが変わった紐状部材Ｓを引くと、吊上げ部材２０が上方に移動して固定部材１０と当接する構成とされている。この形態によると、例えば、重物の質量がＷであるとした場合、この重物を固定対象部に向けて吊り上げるために紐状部材Ｓを引く力は、固定部材１０に備わる滑車３が定滑車として、吊上げ部材２０に備わる滑車３が動滑車として作用するため、Ｗ／２となる。つまり、第１の基本形態と比べて紐状部材Ｓを引く力がほぼ半分で足りる。
【００２１】
〔応用形態〕
以上、第１及び第２の基本形態においては、固定部材１０が固定対象部から下方に延出する上側枠部を有し、吊上げ部材２０が載置部から上方に延出する下側枠部を有し、また、紐状部材Ｓが下側枠部の上端部から上側枠部の下端部に向かう部位を有するように通され、紐状部材Ｓを引くと、吊上げ部材２０が上方に移動して、上側枠部の下端部及び下側枠部の上端部が、一方が他方内に嵌入する構成とされていると、より好ましいものとなる。この形態による場合は、嵌入部を連結すれば、そのまま重物の設置架台が構成されるため、設置容易である。また、この形態による場合は、紐状部材Ｓが下側枠部の上端部から上側枠部の下端部に向かう部位を有するため、下側枠部の上端部は確実に上側枠部の下端部に導かれ、嵌入が行われる。この点、後述するように、上側枠部や下側枠部が複数本とされる場合においては、通常、いずれかの上側枠部とこれに対応する下側枠部とが嵌入せず、この嵌入に注意を向けると、ほかが嵌入しなくなり、結果、手間取ることがあるため、本応用形態は、上側枠部や下側枠部が複数本とされる場合において特に有用である。
ここで、嵌入部の連結形態（方法）は、特に限定されないが、上側枠部の下端部及び下側枠部の上端部に、それぞれ一方に係止部が他方に受け係止部が設けられており、嵌入をしたときに、係止部及び受け係止部が係合して連結される構成であれば、連結のための作業を要しなくなるため、より設置容易となる。この連結形態としては、一方の外壁面に突起を設け、他方の内壁面に当該突起が嵌入する孔を設け、両者の嵌入作業時においては当該突起が凹み、嵌入終了時に再度突出して当該孔に嵌入し、もって係合するような、現在公知の形態を適用することができる。
【００２２】
〔第１の具体的形態〕
以下、応用形態を具体化した形態を、重物がエアコン室外機Ａである場合を例に説明する。
図３に示すように、第１の具体的形態は、固定部材１０が、エアコン室外機Ａの幅方向に離間して並列配置された図示しない固定対象部から下方に延出する筒状の第１の上側枠部１１及び第２の上側枠部１２、並びに、これら第１及び第２の上側枠部１１，１２からエアコン室外機Ａの奥行き方向に離間して並列配置された図示しない固定対象部から下方に延出する筒状の第３の上側枠部１３及び第４の上側枠部１４を有する。また、吊上げ部材２０は、エアコン室外機Ａの幅方向に離間して並列配置された載置部４０から上方に延出する筒状の第１の下側枠部２１及び第２の下側枠部２２、並びに、これら第１及び第２の下側枠部２１，２２からエアコン室外機Ａの奥行き方向に離間して並列配置された載置部４０から上方に延出する筒状の第３の下側枠部２３及び第４の下側枠部２４を有する。そして、第１の上側枠部１１及び下側枠部２１、第２の上側枠部１２及び下側枠部２２、第３の上側枠部１３及び下側枠部２３、並びに、第４の上側枠部１４及び下側枠部２４は、それぞれ同軸的に配置されている。一方、第１及び第２の下側枠部２１，２２の下端部２１ｄ，２２ｄ間には、水平方向を軸とする筒状の第１の架渡し部４１が連接され、第３及び第４の下側枠部２３，２４の下端部２３ｄ，２４ｄ間には、水平方向を軸とする筒状の第２の架渡し部４２が連接されている。また、本形態においては、第１及び第２の上側枠部１１，１２の上端部１１ｕ，１２ｕ間には、水平方向を軸とする筒状の第３の架渡し部１６が連接され、第３及び第４の上側枠部１３，１４の上端部１３ｕ，１４ｕ間には、水平方向を軸とする筒状の第４の架渡し部１７が連接されている。
本形態においても、応用形態におけると同様に、紐状部材Ｓを引くと、吊上げ部材２０が上方に移動して、第１の上側枠部１１の下端部１１ｄ及び第１の下側枠部２１の上端部２１ｕ、第２の上側枠部１２の下端部１２ｄ及び第２の下側枠部２２の上端部２２ｕ、第３の上側枠部１３の下端部１３ｄ及び第３の下側枠部２３の上端部２３ｕ、並びに、第４の上側枠部１４の下端部１４ｄ及び第４の下側枠部２４の上端部２４ｕが、それぞれ一方が他方内に嵌入する構成とされている。
ここで、この嵌入構成を実現するための軸部材の備え方、紐状部材の備え方・通し方等は特に限定されない。ただし、図示例の構成を推奨する。
すなわち、本構成においては、まず、第１及び第３の上側枠部１１，１３の上端部１１ｕ，１３ｕ、並びに、第１から第４の下側枠部２１，２２，２３，２４の下端部２１ｕ，２２ｕ，２３ｕ，２４ｕに、それぞれ図示しない横方向を軸とする滑車等の軸部材が備わり、また、第２及び第４の上側枠部１２，１４には、それぞれ紐状部材Ｓ１，Ｓ２が、直接又は他の部材を介して固定される等して備わる。そして、これらの紐状部材Ｓ１，Ｓ２は、第２又は第４の上側枠部１２，１４内を通って下方に向かい、更に第２又は第４の下側枠部２２，２４内を通って下方に向かった後、第２又は第４の下側枠部２２，２４に備わる軸部材の下側周面に案内されて向きが変わり、これらの向きが変わった紐状部材Ｓ１，Ｓ２が、それぞれ第１又は第２の架渡し部４１，４２内を通って第１又は第３の下側枠部２１，２３側に向かった後、第１又は第３の下側枠部２１，２３に備わる軸部材の下側周面に案内されて向きが変わり、これらの向きが変わった紐状部材Ｓ１，Ｓ２が、それぞれ第１又は第３の下側枠部２１，２３内を通って上方に向かい、更に第１又は第３の上側枠部１１，１３内を通って上方に向かった後、第１又は第３の上側枠部１１，１３に備わる軸部材の上側周面に案内されて向きが変わる、ように通されている。
この形態によると、例えば、エアコン室外機Ａの質量がＷであるとした場合、このエアコン室外機Ａを固定対象部に向けて吊り上げるために紐状部材Ｓ１，Ｓ２を引く力は、上側枠部１１，１３に備わる軸部材が定滑車として、下側枠部２１，２２，２３，２４に備わる軸部材が動滑車として作用するため、それぞれＷ／４、合計でもＷ／２となる。つまり、紐状部材Ｓを引く力がエアコン室外機Ａのほぼ半分で足り、また、２つに分けて引くことになるため、吊上げ時のバランスが良くなる。
【００２３】
〔第２の具体的形態〕
一方、前記各枠部の嵌入構成を実現するための軸部材の備え方、紐状部材の備え方・通し方等としては、以下の構成も推奨する。
すなわち、本構成においては、図４に示すように、第２から第４の上側枠部１２，１３，１４の上端部１２ｕ，１３ｕ，１４ｕ、及び、第１から第４の下側枠部２１，２２，２３，２４の下端部２１ｄ，２２ｄ，２３ｄ，２４ｄには、それぞれ図示しない横方向を軸とする滑車等の軸部材が備わり、第１の上側枠部１１には、紐状部材Ｓが、直接又は他の部材を介して固定される等して備わる。そして、この紐状部材Ｓは、第１の上側枠部１１内を通って下方に向かい、更に第１の下側枠部２１内を通って下方に向かった後、第１の下側枠部２１に備わる軸部材の下側周面に案内されて向きが変わり、この向きが変わった紐状部材Ｓが、第１の架渡し部４１内を通って第２の下側枠部２２側に向かった後、第２の下側枠部２２に備わる軸部材の下側周面に案内されて向きが変わり、この向きが変わった紐状部材Ｓが、第２の下側枠部２２内を通って上方に向かい、更に第２の上側枠部１２内を通って上方に向かった後、第２の上側枠部１２に備わる軸部材の上側周面に案内されて向きが変わり、この向きが変わった紐状部材Ｓが、第４の上側枠部１４に向かった後、この第４の上側枠部１４に備わる軸部材の上側周面に案内されて向きが変わり、この向きが変わった紐状部材Ｓが、第４の上側枠部１４内を通って下方に向かい、更に第４の下側枠部２４内を通って下方に向かった後、第４の下側枠部２４に備わる軸部材の下側周面に案内されて向きが変わり、この向きが変わった紐状部材Ｓが、第２の架渡し部４２内を通って第３の下側枠部２３側に向かった後、第３の下側枠部２３に備わる軸部材の下側周面に案内されて向きが変わり、この向きが変わった紐状部材Ｓが、第３の下側枠部２３内を通って上方に向かい、更に第３の上側枠部１３内を通って上方に向かった後、第３の上側枠部１３に備わる軸部材の上側周面に案内されて向きが変わる、ように通されている。なお、図４以降は、枠部内を通る紐状部材Ｓについても、見易さの観点から、実線で示している。
この形態によると、例えば、エアコン室外機Ａの質量がＷであるとした場合、このエアコン室外機Ａを固定対象部に向けて吊り上げるために紐状部材Ｓを引く力は、上側枠部１２，１３，１４に備わる軸部材が定滑車として、下側枠部２１，２２，２３，２４に備わる軸部材が動滑車として作用するため、Ｗ／４となる。つまり、紐状部材Ｓを引く力がエアコン室外機Ａのほぼ４分の１で足りる。
【００２４】
〔第３の具体的形態〕
さらに、前記各枠部の嵌入構成を実現するための軸部材の備え方、紐状部材の備え方・通し方等としては、以下の構成も推奨する。
すなわち、本構成においては、図５に示すように、第１から第４の上側枠部１１，１２，１３，１４の上端部１１ｕ，１２ｕ，１３ｕ，１４ｕ、及び、第１から第４の下側枠部２１，２２，２３，２４の下端部２１ｄ，２２ｄ，２３ｄ，２４ｄには、それぞれ図示しない横方向を軸とする軸部材が１個又は複数個備わり、第１の上側枠部１１には、紐状部材Ｓが、直接又は他の部材を介して固定される等して備わる。そして、この紐状部材Ｓは、第１の上側枠部１１内を通って下方に向かい、更に第１の下側枠部２１内を通って下方に向かった後、第１の下側枠部２１に備わる軸部材の下側周面に案内されて向きが変わり、この向きが変わった紐状部材Ｓが、第１の下側枠部２１内を通って上方に向かい、更に第１の上側枠部１１内を通って上方に向かった後、第１の上側枠部１１に備わる軸部材の上側周面に案内されて向きが変わり、この向きが変わった紐状部材Ｓが、第３の架渡し部１６内を通って第２の上側枠部１２に向かった後、この第２の上側枠部１２に備わる軸部材の上側周面に案内されて向きが変わり、この向きが変わった紐状部材Ｓが、第２の上側枠部１２内を通って下方に向かい、更に第２の下側枠部２２内を通って下方に向かった後、第２の下側枠部２２に備わる軸部材の下側周面に案内されて向きが変わり、この向きが変わった紐状部材Ｓが、第２の下側枠部２２内を通って上方に向かい、更に第２の上側枠部１２内を通って上方に向かった後、第２の上側枠部１２に備わる軸部材の上側周面に案内されて向きが変わり、この向きが変わった紐状部材Ｓが、第４の上側枠部１４に向かった後、この第４の上側枠部１４に備わる軸部材の上側周面に案内されて向きが変わり、この向きが変わった紐状部材Ｓが、第４の上側枠部１４内を通って下方に向かい、更に第４の下側枠部２４内を通って下方に向かった後、第４の下側枠部２４に備わる軸部材の下側周面に案内されて向きが変わり、この向きが変わった紐状部材Ｓが、第４の下側枠部２４内を通って上方に向かい、更に第４の上側枠部１４内を通って上方に向かった後、第４の上側枠部１４に備わる軸部材の上側周面に案内されて向きが変わり、この向きが変わった紐状部材Ｓが、第４の架渡し部１７内を通って第３の上側枠部１３に向かった後、この第３の上側枠部１３に備わる軸部材の上側周面に案内されて向きが変わり、この向きが変わった紐状部材Ｓが、第３の上側枠部１３内を通って下方に向かい、更に第３の下側枠部２３内を通って下方に向かった後、第３の下側枠部２３に備わる軸部材の下側周面に案内されて向きが変わり、この向きが変わった紐状部材Ｓが、第３の下側枠部２３内を通って上方に向かい、更に第３の上側枠部１３内を通って上方に向かった後、第３の上側枠部１３に備わる軸部材の上側周面に案内されて向きが変わる、ように通されている。
この形態によると、例えば、エアコン室外機Ａの質量がＷであるとした場合、このエアコン室外機Ａを固定対象部に向けて吊り上げるために紐状部材Ｓを引く力は、上側枠部１２，１３，１４に備わる軸部材が定滑車として、下側枠部２１，２２，２３，２４に備わる軸部材が動滑車として作用するため、Ｗ／８となる。つまり、紐状部材Ｓを引く力がエアコン室外機Ａのほぼ８分の１で足りる。
【００２５】
〔第４の具体的形態〕
さらに、前記各枠部の嵌入構成を実現するための軸部材の備え方、紐状部材の備え方・通し方等としては、以下の構成も推奨する。
すなわち、本構成においては、図６に示すように、第２から第４の上側枠部１２，１３，１４の上端部１２ｕ，１３ｕ，１４ｕ、及び、第１から第４の下側枠部２１，２２，２３，２４の下端部２１ｄ，２２ｄ，２３ｄ，２４ｄには、それぞれ図示しない横方向を軸とする軸部材が１個又は複数個備わり、第１の上側枠部１１には、紐状部材Ｓが、直接又は他の部材を介して固定される等して備わる。そして、この紐状部材Ｓは、第１の上側枠部１１内を通って下方に向かい、更に第１の下側枠部２１内を通って下方に向かった後、第１の下側枠部２１に備わる軸部材の下側周面に案内されて向きが変わり、この向きが変わった紐状部材Ｓが、第１の架渡し部４１内を通って第２の下側枠部２２側に向かった後、第２の下側枠部２２に備わる軸部材の下側周面に案内されて向きが変わり、この向きが変わった紐状部材Ｓが、第２の下側枠部２２内を通って上方に向かい、更に第２の上側枠部１２内を通って上方に向かった後、第２の上側枠部１２に備わる軸部材の上側周面に案内されて向きが変わり、この向きが変わった紐状部材Ｓが、第２の上側枠部１２内を通って下方に向かい、更に第２の下側枠部２２内を通って下方に向かった後、第２の下側枠部２２に備わる軸部材の下側周面に案内されて向きが変わり、この向きが変わった紐状部材Ｓが、第２の下側枠部２２内を通って上方に向かい、更に第２の上側枠部１２内を通って上方に向かった後、第２の上側枠部１２に備わる軸部材の上側周面に案内されて向きが変わり、この向きが変わった紐状部材Ｓが、第４の上側枠部１４に向かった後、この第４の上側枠部１４に備わる軸部材の上側周面に案内されて向きが変わり、この向きが変わった紐状部材Ｓが、第４の上側枠部１４内を通って下方に向かい、更に第４の下側枠部２４内を通って下方に向かった後、第４の下側枠部２４に備わる軸部材の下側周面に案内されて向きが変わり、この向きが変わった紐状部材Ｓが、第４の下側枠部２４内を通って上方に向かい、更に第４の上側枠部１４内を通って上方に向かった後、第４の上側枠部１４に備わる軸部材の上側周面に案内されて向きが変わり、この向きが変わった紐状部材Ｓが、第４の上側枠部１４内を通って下方に向かい、更に第４の下側枠部２４内を通って下方に向かった後、第４の下側枠部２４に備わる軸部材の下側周面に案内されて向きが変わり、この向きが変わった紐状部材Ｓが、第２の架渡し部４２内を通って第３の下側枠部２３側に向かった後、第３の下側枠部２３に備わる軸部材の下側周面に案内されて向きが変わり、この向きが変わった紐状部材Ｓが、第３の下側枠部２３内を通って上方に向かい、更に第３の上側枠部１３内を通って上方に向かった後、第３の上側枠部１３に備わる軸部材の上側周面に案内されて向きが変わる、ように通されている。
この形態によると、例えば、エアコン室外機Ａの質量がＷであるとした場合、このエアコン室外機Ａを固定対象部に向けて吊り上げるために紐状部材Ｓを引く力は、上側枠部１２，１３，１４に備わる軸部材が定滑車として、下側枠部２１，２２，２３，２４に備わる軸部材が動滑車として作用するため、Ｗ／８となる。つまり、紐状部材Ｓを引く力がエアコン室外機Ａのほぼ８分の１で足りる。
ところで、この形態においては、理論上、第１及び第３の上側枠部１１，１３及び下側枠部２１，２３側（以下、左側という。）においては、上下に延在する各紐状部材ＳにＷ／８の力がかかり、他方、第２及び第４の上側枠部１２，１４及び下側枠部２２，２４側（以下、右側という。）においては、上下に延在する各紐状部材ＳにＷ／８の力がかかる。しかしながら、実際には、例えば、エアコン室外機Ａ等のように比重の大きいパーツ（部品）が偏在している重物においては、特に、紐状部材Ｓに力がかかる瞬間等において、比重の大きい側の紐状部材Ｓに大きな力がかかる場合がある。そこで、各枠部等に紐状部材Ｓを通すにおいては、重物の比重が右側の方が大きくなる関係となるように、行うのが好ましい。当該関係になるようにすると、安全性に優れる。
【００２６】
〔第５の具体的形態〕
さらに、前記各枠部の嵌入構成を実現するための軸部材の備え方、紐状部材の備え方・通し方等としては、以下の構成も推奨する。
すなわち、本構成においては、図７に示すように、第１から第４の上側枠部１１，１２，１３，１４の上端部１１ｕ，１２ｕ，１３ｕ，１４ｕ、及び、第１から第４の下側枠部２１，２２，２３，２４の下端部２１ｄ，２２ｄ，２３ｄ，２４ｄには、それぞれ図示しない横方向を軸とする軸部材が１個又は複数個備わり、第１の上側枠部１１には、紐状部材Ｓが、直接又は他の部材を介して固定される等して備わる。そして、この紐状部材Ｓは、第１の上側枠部１１内を通って下方に向かい、更に第１の下側枠部２１内を通って下方に向かった後、第１の下側枠部２１に備わる軸部材の下側周面に案内されて向きが変わり、この向きが変わった紐状部材Ｓが、第１の下側枠部２１内を通って上方に向かい、更に第１の上側枠部１１内を通って上方に向かった後、第１の上側枠部１１に備わる軸部材の上側周面に案内されて向きが変わり、この向きが変わった紐状部材Ｓが、第３の架渡し部１６内を通って第２の上側枠部１２に向かった後、この第２の上側枠部１２に備わる軸部材の上側周面に案内されて向きが変わり、この向きが変わった紐状部材Ｓが、第２の上側枠部１２内を通って下方に向かい、更に第２の下側枠部２２内を通って下方に向かった後、第２の下側枠部２２に備わる軸部材の下側周面に案内されて向きが変わり、この向きが変わった紐状部材Ｓが、第２の下側枠部２２内を通って上方に向かい、更に第２の上側枠部１２内を通って上方に向かった後、第２の上側枠部１２に備わる軸部材の上側周面に案内されて向きが変わり、この向きが変わった紐状部材Ｓが、第２の上側枠部１２内を通って下方に向かい、更に第２の下側枠部２２内を通って下方に向かった後、第２の下側枠部２２に備わる軸部材の下側周面に案内されて向きが変わり、この向きが変わった紐状部材Ｓが、第２の下側枠部２２内を通って上方に向かい、更に第２の上側枠部１２内を通って上方に向かった後、第２の上側枠部１２に備わる軸部材の上側周面に案内されて向きが変わり、この向きが変わった紐状部材Ｓが、第４の上側枠部１４に向かった後、この第４の上側枠部１４に備わる軸部材の上側周面に案内されて向きが変わり、この向きが変わった紐状部材Ｓが、第４の上側枠部１４内を通って下方に向かい、更に第４の下側枠部２４内を通って下方に向かった後、第４の下側枠部２４に備わる軸部材の下側周面に案内されて向きが変わり、この向きが変わった紐状部材Ｓが、第４の下側枠部２４内を通って上方に向かい、更に第４の上側枠部１４内を通って上方に向かった後、第４の上側枠部１４に備わる軸部材の上側周面に案内されて向きが変わり、この向きが変わった紐状部材Ｓが、第４の上側枠部１４内を通って下方に向かい、更に第４の下側枠部２４内を通って下方に向かった後、第４の下側枠部２４に備わる軸部材の下側周面に案内されて向きが変わり、この向きが変わった紐状部材Ｓが、第４の下側枠部２４内を通って上方に向かい、更に第４の上側枠部１４内を通って上方に向かった後、第４の上側枠部１４に備わる軸部材の上側周面に案内されて向きが変わり、この向きが変わった紐状部材Ｓが、第４の架渡し部１７内を通って第３の上側枠部１３に向かった後、この第３の上側枠部１３に備わる軸部材の上側周面に案内されて向きが変わり、この向きが変わった紐状部材Ｓが、第３の上側枠部１３内を通って下方に向かい、更に第３の下側枠部２３内を通って下方に向かった後、第３の下側枠部２３に備わる軸部材の下側周面に案内されて向きが変わり、この向きが変わった紐状部材Ｓが、第３の下側枠部２３内を通って上方に向かい、更に第３の上側枠部１３内を通って上方に向かった後、第３の上側枠部１３に備わる軸部材の上側周面に案内されて向きが変わる、ように通されている。
この形態によると、例えば、エアコン室外機Ａの質量がＷであるとした場合、このエアコン室外機Ａを固定対象部に向けて吊り上げるために紐状部材Ｓを引く力は、上側枠部１１，１２，１３，１４に備わる軸部材が定滑車として、下側枠部２１，２２，２３，２４に備わる軸部材が動滑車として作用するため、Ｗ／１２となる。つまり、紐状部材Ｓを引く力がエアコン室外機Ａのほぼ１２分の１で足りる。
また、本形態においても、各枠部等に紐状部材Ｓを通すにおいては、重物の比重が右側の方が大きくなる関係となるように、行うのが好ましい。第４の具体的形態と同様の理由からである。
【００２７】
〔第６の具体的形態〕
さらに、前記各枠部の嵌入構成を実現するための軸部材の備え方、紐状部材の備え方・通し方等としては、以下の構成も推奨する。
すなわち、本構成においては、図８に示すように、第１から第４の上側枠部１１，１２，１３，１４の上端部１１ｕ，１２ｕ，１３ｕ，１４ｕ、及び、第１から第４の下側枠部２１，２２，２３，２４の下端部２１ｄ，２２ｄ，２３ｄ，２４ｄには、それぞれ図示しない横方向を軸とする軸部材が１個又は複数個備わり、第１の上側枠部１１には、紐状部材Ｓが、直接又は他の部材を介して固定される等して備わる。そして、この紐状部材Ｓは、第１の上側枠部１１内を通って下方に向かい、更に第１の下側枠部２１内を通って下方に向かった後、第１の下側枠部２１に備わる軸部材の下側周面に案内されて向きが変わり、この向きが変わった紐状部材Ｓが、第１の下側枠部２１内を通って上方に向かい、更に第１の上側枠部１１内を通って上方に向かった後、第１の上側枠部１１に備わる軸部材の上側周面に案内されて向きが変わり、この向きが変わった紐状部材Ｓが、第３の架渡し部１６内を通って第２の上側枠部１２に向かった後、この第２の上側枠部１２に備わる軸部材の上側周面に案内されて向きが変わり、この向きが変わった紐状部材Ｓが、第２の上側枠部１２内を通って下方に向かい、更に第２の下側枠部２２内を通って下方に向かった後、第２の下側枠部２２に備わる軸部材の下側周面に案内されて向きが変わり、この向きが変わった紐状部材Ｓが、第２の下側枠部２２内を通って上方に向かい、更に第２の上側枠部１２内を通って上方に向かった後、第２の上側枠部１２に備わる軸部材の上側周面に案内されて向きが変わり、この向きが変わった紐状部材Ｓが、第３の架渡し部１６内を通って第１の上側枠部１１に向かった後、この第１の上側枠部１１に備わる軸部材の上側周面に案内されて向きが変わり、この向きが変わった紐状部材Ｓが、第１の上側枠部１１内を通って下方に向かい、更に第１の下側枠部２１内を通って下方に向かった後、第１の下側枠部２１に備わる軸部材の下側周面に案内されて向きが変わり、この向きが変わった紐状部材Ｓが、第１の架渡し部４１内を通って第２の下側枠部２２に向かった後、第２の下側枠部２２に備わる軸部材の下側周面に案内されて向きが変わり、この向きが変わった紐状部材Ｓが、第２の下側枠部２２内を通って上方に向かい、更に第２の上側枠部１２内を通って上方に向かった後、第２の上側枠部１２に備わる軸部材の上側周面に案内されて向きが変わり、この向きが変わった紐状部材Ｓが、第４の上側枠部１４に向かった後、この第４の上側枠部１４に備わる軸部材の上側周面に案内されて向きが変わり、この向きが変わった紐状部材Ｓが、第４の上側枠部１４内を通って下方に向かい、更に第４の下側枠部２４内を通って下方に向かった後、第４の下側枠部２４に備わる軸部材の下側周面に案内されて向きが変わり、この向きが変わった紐状部材Ｓが、第４の下側枠部２４内を通って上方に向かい、更に第４の上側枠部１４内を通って上方に向かった後、第４の上側枠部１４に備わる軸部材の上側周面に案内されて向きが変わり、この向きが変わった紐状部材Ｓが、第４の架渡し部１７内を通って第３の上側枠部１３に向かった後、この第３の上側枠部１３に備わる軸部材の上側周面に案内されて向きが変わり、この向きが変わった紐状部材Ｓが、第３の上側枠部１３内を通って下方に向かい、更に第３の下側枠部２３内を通って下方に向かった後、第３の下側枠部２３に備わる軸部材の下側周面に案内されて向きが変わり、この向きが変わった紐状部材Ｓが、第３の下側枠部２３内を通って上方に向かい、更に第３の上側枠部１３内を通って上方に向かった後、第３の上側枠部１３に備わる軸部材の上側周面に案内されて向きが変わり、この向きが変わった紐状部材Ｓが、第３の上側枠部１３内を通って下方に向かい、更に第３の下側枠部２３内を通って下方に向かった後、第３の下側枠部２３に備わる軸部材の下側周面に案内されて向きが変わり、この向きが変わった紐状部材Ｓが、第２の架渡し部４２内を通って第４の下側枠部２４側に向かった後、第４の下側枠部２４に備わる軸部材の下側周面に案内されて向きが変わり、この向きが変わった紐状部材Ｓが、第４の下側枠部２４内を通って上方に向かい、更に第４の上側枠部１４内を通って上方に向かった後、第４の上側枠部１４に備わる軸部材の上側周面に案内されて向きが変わり、この向きが変わった紐状部材Ｓが、第４の架渡し部１７内を通って第３の上側枠部１３に向かった後、この第３の上側枠部１３に備わる軸部材の上側周面に案内されて向きが変わる、ように通されている。
この形態によると、例えば、エアコン室外機Ａの質量がＷであるとした場合、このエアコン室外機Ａを固定対象部に向けて吊り上げるために紐状部材Ｓを引く力は、上側枠部１１，１２，１３，１４に備わる軸部材が定滑車として、下側枠部２１，２２，２３，２４に備わる軸部材が動滑車として作用するため、Ｗ／１２となる。つまり、紐状部材Ｓを引く力がエアコン室外機Ａのほぼ１２分の１で足りる。
【００２８】
〔第１〜６の具体的形態の各部の詳細・変形例等〕
（１）第１〜６の具体的形態においては、上側枠部１１，１２，１３，１４と架渡し部１６，１７との接続形態や下側枠部２１，２２，２３，２４と架渡し部４１，４２との接続形態を、具体的に示さなかった。この接続形態は、技術常識から適宜設計することができ、特に限定されない趣旨である。接続形態としては、例えば、各枠部と各架渡し部とが乖離している形態、軸等を介して回動自在に接続されている形態、等を例示することができる。なお、各枠部と各架渡し部とが接続されている形態においてはもちろん、各枠部と各架渡し部とが乖離している形態においても、各架渡し部の側端部は各枠部の上端部又は下端部を意味するものとする。
ここで、回動自在に接続されている形態においては、図１４に第１の上側枠部１１と第３の架渡し部１６との接続形態を例に示すように、第１の上側枠部１１と第３の架渡し部１６との回動軸を軸とする滑車３を設けることができる。そして、この滑車３には、軸方向に複数の、図示例では２つの軸細部が設けられており、図１５に示すように、この軸細部に沿って紐状部材Ｓを通すことができるようになっている。したがって、１つの滑車３に複数の紐状部材Ｓを案内させる必要がある場合においても、紐状部材Ｓ同士の摩擦や絡まりが生じるおそれがない。
一方、接続形態としては、図９及び図１０に示すように、各枠部と各架渡し部とが一体化された形態、図示例では枠部と架渡し部とがＬ字部材２５で構成された形態等も採用することができる。図示例では、Ｌ字部材２５の内方側の折れ曲り部分に切り欠き２５Ａを設け、この切り欠き２５Ａ内に軸部材たる滑車３が挿入された形態となっている。
【００２９】
（２）第１〜６の具体的形態においては、例えば、図８に示すように、エアコン室外機Ａの載置部４０が、架渡し部４１，４２及びこれらの間に跨る一対の固定材４３，４４で構成されている。そして、固定材４３，４４に、エアコン室外機Ａをボルト固定するためのボルト孔４３Ａ，４４Ａが形成された形態となっている。ただし、載置部４０は、この形態に限定されない。例えば、図１１に示すように、第１の下側枠部２１、水平部４６及び第３の下側枠部２３が一体化されたＵ字部材、第２の下側枠部２２、水平部４７及び第４の下側枠部２４が一体化されたＵ字部材、及び、水平部４６，４７間に跨る固定材４８，４９を有する形態とすることもできる。この形態においては、水平部４６，４７及び固定材４８，４９で、載置部４０が構成されている。なお、固定材４８，４９の上側面に形成された孔４８Ａ，４９Ａは、エアコン室外機Ａをボルト固定するためのボルト孔である。
【００３０】
（３）ところで、エアコン室外機Ａの固定対象部が、例えば、上階のベランダの下側（裏側）面である場合においては、かかる面に固定部材１０等をボルト固定することになるところ、かかる面には、一般に、図１２の（１）に示すように、ボルトを螺合するためのナット孔Ｐ１〜Ｐ４が設けられている。このナット孔Ｐ１〜Ｐ４は、固定部材１０等の寸法に適合するように正確に形成されていればよいが、図１２の（１）においてナット孔Ｐ２に示すように、ずれている場合もある。この場合において、図１１で示した形態の載置部４０を有する吊上げ装置は、吊り下げるに以下のような問題が生じる。
すなわち、まず、この装置は、Ｕ字部材を使用しており、水平部４６，４７と下側枠部２１，２２，２３，２４とのなす角度が固定であるため、ナット孔Ｐ２がずれていると、Ｘ１−Ｘ２方向がエアコン室外機Ａの幅方向となるようにも、Ｙ１−Ｙ２方向がエアコン室外機Ａの幅方向となるようにも取り付けることができない。一方、Ｕ字部材を使用せず、水平部４６，４７と下側枠部２１，２２，２３，２４との接続を回動可能な形態とした場合は、Ｙ１−Ｙ２方向がエアコン室外機Ａの幅方向となるようには取り付けできないが、Ｘ１−Ｘ２方向がエアコン室外機Ａの幅方向となるようには取り付けできる。しかしながら、この形態においても、Ｘ１−Ｘ２方向がエアコン室外機Ａの幅方向となるように取り付けると、図１２の（２）に示すように、第２の下側枠部２２の上端部と第４の下側枠部２４の上端部との離間距離が拡がるため、水平部４７が上昇してしまい、エアコン室外機Ａが幅方向に関して傾斜してしまう。そこで、前述した第１〜６の具体的形態においては、工夫を凝らしている。
すなわち、まず、図１３にも示すように、第３の架渡し部１６及び第４の架渡し部１７には、ボルトを通すためのボルト孔１８Ａの設けられた固定材１８が、それぞれに２つ設けられている。そして、この固定材１８は、幅方向にスライドするようになっている。しかも、かかるボルト孔１８Ａは、奥行き方向に長形となっている。したがって、本形態によると、たとえナット孔Ｐ１〜Ｐ４がずれていたとしても、Ｘ１−Ｘ２方向及びＹ１−Ｙ２方向のいずれが幅方向となるようにも吊下げ装置を吊り下げることができる。
【００３１】
（４）第１〜６の具体的形態においては、筒状の上側枠部１１，１２，１３，１４及び下側枠部２１，２２，２３，２４を、それぞれ一方が他方内に嵌入する径の鋼管を加工して形成し、これら鋼管からなる上側枠部１１，１２，１３，１４及び下側枠部２１，２２，２３，２４に、それぞれ滑車を取り付けるのみでも、製造することができる。この製造方法によると、極めて安価で、かつ容易に本形態の吊下げ装置を製造することができる。
【００３２】
（５）第１〜６の具体的形態においては、紐状部材Ｓの通し方をさまざまに変えたが、どの形態を採用するかは、紐状部材Ｓを通す手間や紐状部材Ｓを引く力、軸部材３の形状等を考慮して、適宜決定することができる。
【００３３】
（６）第１〜６の具体的形態において、同一箇所に設ける軸部材を複数個とする場合は、例えば、設置位置を高さ方向に関して変える等するとよい。また、例えば、横方向を軸とする軸部材の軸を、例えば、エアコン室外機Ａの幅方向、奥行き方向等に変えることによって、紐状部材Ｓの向きを任意の方向に変えることができる。
【００３４】
〔第１の変形形態〕
以上の形態においては、エアコン室外機Ａの固定対象部が、例えば、上階のベランダの下側（裏側）面等の水平面である場合を例に説明した。そこで、次に、エアコン室外機Ａの固定対象部が、例えば、窓横、窓上の壁面等の垂直面である場合の形態例を説明する。
図１６に示すように、本形態の吊下げ装置は、固定部材１０が、図示しない壁面等の垂直面にエアコン室外機Ａの幅方向に離間してボルト等によって固定される断面略コ字状の一対の固定材１１８と、これらの固定材１１８内からそれぞれ上方に延出し、かつ上端部において垂直面から遠ざかる方に折れ曲るＬ字部材１１６，１１７と、エアコン室外機Ａの幅方向に離間して並列配置されたＬ字部材１１６，１１７の先端部から下方に延出する筒状の第１の上側枠部１１及び第２の上側枠部１２、並びに、これら第１及び第２の上側枠部１１，１２からエアコン室外機Ａの奥行き方向に離間して並列配置されたＬ字部材１１６，１１７の基端部から下方に延出する筒状の第３の上側枠部１３及び第４の上側枠部１４と、から主になる。
一方、吊上げ部材２０は、下側枠部を有さず、載置部４０のみからなり、この載置部４０は、第１及び第２の上側枠部１１，１２の下端部１１ｄ，１２ｄ間に連結される水平方向を軸とする筒状の第１の架渡し部４１、第３及び第４の上側枠部１３，１４の下端部１３ｄ，１４ｄ間に連結される水平方向を軸とする筒状の第２の架渡し部４２、及び、これらの間に跨る一対の固定材４３，４４で構成されている。そして、Ｌ字部材１１６，１１７と各上側枠部１１，１２，１３，１４とは、それぞれ軸部材たる滑車３が備わる連結部材１２０で連結されている。この連結部材１２０は、図１７にＬ字部材１１６と上側枠部１３との連結を例に詳細を示すように、ゴム材等の弾性部材１２４を介してＬ字部材１１６を上側から覆うＵ字部材１２３と、このＵ字部材１２３の下端部間に上端部が軸支され、下端部が上側枠部１３内に嵌入された介在部材１２１と、から主になる。そして、Ｕ字部材１２３と介在部材１２１との軸部には、この軸部の軸方向を軸とする滑車３が備わる。また、Ｕ字部材１２３には切り欠き１２３Ａが形成されており、この切り欠き１２３Ａにビス１２５を挿入することによってＵ字部材１２３がＬ字部材１１６にビス止めされるようになっており、他方、介在部材１２１の下端部は上側枠部１３の上端部に対してビス１２２によってビス止めされるようになっている。
また、本形態においては、各架渡し部４１，４２の両端部に、それぞれ図示しない横方向を軸とする滑車等の軸部材が備わり、第２の上側枠部１２には紐状部材Ｓが、直接又は他の部材を介して固定される等して備わる。そして、この紐状部材Ｓは、第２の上側枠部１２内を通って下方に向かった後、第１の架渡し部４１の第２の上側枠部１２側端部に備わる軸部材の下側周面に案内されて向きが変わり、この向きが変わった紐状部材Ｓが、第１の架渡し部４１内を通って第１の上側枠部１１側に向かった後、第１の架渡し部４１の第１の上側枠部１１側端部に備わる軸部材の下側周面に案内されて向きが変わり、この向きが変わった紐状部材Ｓが、第１の上側枠部１１内を通って上方に向かった後、この第１の上側枠部１１と連結された連結部材１２０に備わる滑車３の上側周面に案内されて向きが変わり、この向きが変わった紐状部材Ｓが、第３の上側枠部１３に向かった後、この第３の上側枠部１３と連結された連結部材１２０に備わる滑車３の上側周面に案内されて向きが変わり、この向きが変わった紐状部材Ｓが、第３の上側枠部１３内を通って下方に向かった後、第２の架渡し部４２の第３の上側枠部１３側端部に備わる軸部材の下側周面に案内されて向きが変わり、この向きが変わった紐状部材Ｓが、第２の架渡し部４２内を通って第４の上側枠部１４側に向かった後、第２の架渡し部４２の第４の上側枠部１４側端部に備わる軸部材の下側周面に案内されて向きが変わり、この向きが変わった紐状部材Ｓが、第４の上側枠部１４内を通って上方に向かった後、この第４の上側枠部１４と連結された連結部材１２０に備わる滑車３の上側周面に案内されて向きが変わる、ように通されている。
この形態によると、例えば、エアコン室外機Ａの質量がＷであるとした場合、このエアコン室外機Ａを固定対象部に向けて吊り上げるために紐状部材Ｓを引く力は、連結部材１２０に備わる滑車３が定滑車として、架渡し部４１，４２に備わる軸部材が動滑車として作用するため、Ｗ／４となる。つまり、紐状部材Ｓを引く力がエアコン室外機Ａのほぼ４分の１で足りる。
【００３５】
〔第２の変形形態〕
以上、第１の変形形態は、下側枠部を有しない形態であったので、次に、上側枠部を有しない形態について、第２の変形形態として、説明する。
本形態の吊下げ装置は、図１８〜２１に示すように、固定部材１０が、上階のベランダの下側（裏側）面等の水平面にエアコン室外機Ａの奥行き方向に離間してボルト等によって固定される一対の固定材２１６，２１７からなり、上側枠部を有しない。一方、吊上げ部材２０は、エアコン室外機Ａの幅方向に離間して並列配置された載置部４０から上方に延出する棒状で断面略コ字状の第１の下側枠部２２１及び第２の下側枠部２２２、並びに、これら第１及び第２の下側枠部２２１，２２２からエアコン室外機Ａの奥行き方向に離間して並列配置された載置部４０から上方に延出する棒状で断面略コ字状の第３の下側枠部２２３及び第４の下側枠部２２４を有する。また、第１及び第３の下側枠部２２１，２２３の下端部間には、水平方向を軸とする棒状の第１の架渡し部２４１が各下側枠部２２１，２２３の下端部と回動自在に連接され、第２及び第４の下側枠部２２２，２２４の下端部間には、水平方向を軸とする棒状の第２の架渡し部２４２が各下側枠部２２２，２２４の下端部と回動自在に連接され、これら第１及び第２の架渡し部２４１，２４２によって、載置部４０が構成されている。そして、固定材２１６，２１７には、それぞれ平面視で架渡し部２４１，２４２を挟んでエアコン室外機Ａの幅方向に関して対称となる位置に、エアコン室外機Ａの奥行き方向を軸とする軸部材２０４が備えられている。また、下側枠部２２１，２２２，２２３，２２４の上下方向中間部より若干上側には、エアコン室外機Ａの幅方向を軸とする円柱状の軸部材２０３が、それぞれ備えられている。この軸部材２０３は、図２２に第１の下側枠部２２１の場合を例に示すように、下側枠部２２１からエアコン室外機Ａ側に突出した一対の突片２２１Ｔ間に跨るように差し込み、ピン２０３Ｐで抜け防止するのみで備えられるようになっている。軸部材２０３を外せば、後述する紐状部材Ｓを通したり、外したりするのが容易となるため、本軸部材２０３の形態例は有用である。さらに、固定材２１６，２１７の第２又は第４の下側枠部２２２，２２４側の端部には、紐状部材Ｓを固定するための固定ピン２０５が備えられている。この固定ピン２０５は、図２３に示すように、両端部に螺子溝が切られたＵ字材２０５ＡとこのＵ字材２０５Ａの両端部に螺合することができるナット２０５Ｂとから主になり、例えば、固定材２１７に形成された孔にＵ字材２０５Ａの両端部を差し込んだ後、この両端部にナット２０５Ｂを螺合させるのみで備えられる構成となっている。したがって、後述する紐状部材Ｓを、この固定ピン２０５を利用して容易に固定することができる。
本形態においては、例えば、固定ピン２０５で固定される等して、固定材２１７に紐状部材Ｓが備えられている。そして、この紐状部材Ｓは、固定ピン２０５から固定材２１７に沿って固定ピン２０５に最も近い軸部材２０４に向かった後、この軸部材２０４の上側周面に案内されて向きが変わり、この向きが変わった紐状部材Ｓが、第４の下側枠部２２４に備わる軸部材２０３に向かった後、この軸部材２０３の下側周面に案内されて向きが変わり、この向きが変わった紐状部材Ｓが、固定材２１７の固定ピン２０５に２番目に近い軸部材２０４に向かった後、この軸部材２０４の上側周面に案内されて向きが変わり、この向きが変わった紐状部材Ｓが、固定材２１７に沿って固定ピン２０５に３番目に近い軸部材２０４に向かった後、この軸部材２０４の上側周面に案内されて向きが変わり、この向きが変わった紐状部材Ｓが、第３の下側枠部２２３に備わる軸部材２０３に向かった後、この軸部材２０３の下側周面に案内されて向きが変わり、この向きが変わった紐状部材Ｓが、固定材２１７の固定ピン２０５から最も遠い軸部材２０４に向かった後、この軸部材２０４の上側周面に案内されて向きが変わり、この向きが変わった紐状部材Ｓが、固定材２１７の固定ピン２０５とは反対側の端部に備わる図示しない上下方向を軸とする軸部材に向かった後、この軸部材の周面に案内されて向きが変わり、この向きが変わった紐状部材Ｓが、固定材２１６の固定ピン２０５とは反対側の端部に備わる図示しない上下方向を軸とする軸部材に向かった後、この軸部材の周面に案内されて向きが変わり、この向きが変わった紐状部材Ｓが、固定材２１６に沿って固定材２１６の固定ピン２０５から最も遠い軸部材２０４に向かった後、この軸部材２０４の上側周面に案内されて向きが変わり、この向きが変わった紐状部材Ｓが、第１の下側枠部２２１に備わる軸部材２０３に向かった後、この軸部材２０３の下側周面に案内されて向きが変わり、この向きが変わった紐状部材Ｓが、固定材２１６の固定ピン２０５に３番目に近い軸部材２０４に向かった後、この軸部材２０４の上側周面に案内されて向きが変わり、この向きが変わった紐状部材Ｓが、固定材２１６に沿って固定ピン２０５に２番目に近い軸部材２０４に向かった後、この軸部材２０４の上側周面に案内されて向きが変わり、この向きが変わった紐状部材Ｓが、第２の下側枠部２２２に備わる軸部材２０３に向かった後、この軸部材２０３の下側周面に案内されて向きが変わり、この向きが変わった紐状部材Ｓが、固定材２１６の固定ピン２０５から最も近い軸部材２０４に向かった後、この軸部材２０４の上側周面に案内されて向きが変わるように通されている。
この形態によると、例えば、エアコン室外機Ａの質量がＷであるとした場合、このエアコン室外機Ａを固定対象部に向けて吊り上げるために紐状部材Ｓを引く力は、固定材２１６，２１７に備わる軸部材２０４が定滑車として、下側枠部２２１，２２２，２２３，２２４に備わる軸部材２０３が動滑車として作用するため、Ｗ／８となる。つまり、紐状部材Ｓを引く力がエアコン室外機Ａのほぼ８分の１で足りる。
本形態においては、吊上げ部材２０を吊り上げた後、下側枠部２２１，２２２，２２３，２２４の上端部と固定材２１６，２１７とを締結するようになっている。この締結は、固定材２１６，２１７の垂直片２１６Ｙ（図２０中の拡大図から明らかなように、本形態の固定材２１６等は、図示しない固定対象面にボルト止めされる水平片２１６Ｘと、この水平片２１６Ｘの一端縁から下方に折れ曲る垂直片２１６Ｙと、から主になる。）に形成された切り欠き２１６Ａにボルト２１６Ｖを通すことによって行うことができる。また、切り欠き２１６Ａは、エアコン室外機Ａの幅方向に長形とされており、この幅方向に関して、下側枠部２２１，２２２，２２３，２２４の位置がずれていても締結することができるようになっている。
【００３６】
〔第３の変形形態〕
さらに、上側枠部を有しない形態について、第２の変形形態を改良した第３の変形形態を、説明する。
本形態の吊下げ装置も、図２４〜２６に示すように、固定部材１０が、上階のベランダの下側（裏側）面等の水平面にエアコン室外機Ａの奥行き方向に離間してボルト等によって固定される一対の固定材３１６，３１７からなり、上側枠部を有しない。一方、吊上げ部材２０は、エアコン室外機Ａの幅方向に離間して並列配置された載置部４０から上方に延出する棒状で断面略コ字状の第１の下側枠部３２１及び第２の下側枠部３２２、並びに、これら第１及び第２の下側枠部３２１，３２２からエアコン室外機Ａの奥行き方向に離間して並列配置された載置部４０から上方に延出する棒状で断面略コ字状の第３の下側枠部３２３及び第４の下側枠部３２４を有する。また、第１及び第３の下側枠部３２１，３２３の下端部間には、水平方向を軸とする棒状の第１の架渡し部３４１が各下側枠部３２１，３２３の下端部と回動自在に連接され、第２及び第４の下側枠部３２２，３２４の下端部間には、水平方向を軸とする棒状の第２の架渡し部３４２が各下側枠部３２２，３２４の下端部と回動自在に連接され、これら第１及び第２の架渡し部３４１，３４２によって、載置部４０が構成されている。そして、固定材３１６，３１７には、それぞれ平面視で架渡し部３４１，３４２を挟んでエアコン室外機Ａの幅方向に関して対称となる位置に、エアコン室外機Ａの奥行き方向を軸とする軸部材３０４が備えられている（図２７参照）。また、下側枠部３２１，３２２，３２３，３２４の上下方向中間部より若干上側には、エアコン室外機Ａの幅方向を軸とする円柱状の軸部材３０３が、それぞれ備えられている。この軸部材３０３も、第２の変形形態における軸部材３０３と同様の構成とすることができる。さらに、図示はしないが、固定材３１６，３１７の第２又は第４の下側枠部３２２，３２４側の端部には、第２の変形形態と同様に、紐状部材Ｓを固定するための固定ピンを備えることができる。
本形態においては、例えば、図示しない固定ピンで固定される等して、固定材３１７に紐状部材Ｓが備えられている。そして、この紐状部材Ｓは、図示しない固定ピンから固定材３１７に沿って固定ピンに最も近い軸部材３０４に向かった後、この軸部材３０４の上側周面に案内されて向きが変わり、この向きが変わった紐状部材Ｓが、第４の下側枠部３２４に備わる軸部材３０３に向かった後、この軸部材３０３の下側周面に案内されて向きが変わり、この向きが変わった紐状部材Ｓが、固定材３１７の固定ピンに２番目に近い軸部材３０４に向かった後、この軸部材３０４の上側周面に案内されて向きが変わり、この向きが変わった紐状部材Ｓが、固定材３１７に沿って固定ピンに３番目に近い軸部材３０４に向かった後、この軸部材３０４の上側周面に案内されて向きが変わり、この向きが変わった紐状部材Ｓが、第３の下側枠部３２３に備わる軸部材３０３に向かった後、この軸部材３０３の下側周面に案内されて向きが変わり、この向きが変わった紐状部材Ｓが、固定材３１７の固定ピンから最も遠い軸部材３０４に向かった後、この軸部材３０４の上側周面に案内されて向きが変わり、この向きが変わった紐状部材Ｓが、固定材３１７の固定ピンとは反対側の端部に備わる図示しない上下方向を軸とする軸部材に向かった後、この軸部材の周面に案内されて向きが変わり、この向きが変わった紐状部材Ｓが、固定材３１６の固定ピンとは反対側の端部に備わる図示しない上下方向を軸とする軸部材に向かった後、この軸部材の周面に案内されて向きが変わり、この向きが変わった紐状部材Ｓが、固定材３１６に沿って固定材３１６の固定ピンから最も遠い軸部材３０４に向かった後、この軸部材３０４の上側周面に案内されて向きが変わり、この向きが変わった紐状部材Ｓが、第１の下側枠部３２１に備わる軸部材３０３に向かった後、この軸部材３０３の下側周面に案内されて向きが変わり、この向きが変わった紐状部材Ｓが、固定材３１６の固定ピンに３番目に近い軸部材３０４に向かった後、この軸部材３０４の上側周面に案内されて向きが変わり、この向きが変わった紐状部材Ｓが、固定材３１６に沿って固定ピンに２番目に近い軸部材３０４に向かった後、この軸部材３０４の上側周面に案内されて向きが変わり、この向きが変わった紐状部材Ｓが、第２の下側枠部３２２に備わる軸部材３０３に向かった後、この軸部材３０３の下側周面に案内されて向きが変わり、この向きが変わった紐状部材Ｓが、固定材３１６の固定ピンから最も近い軸部材３０４に向かった後、この軸部材３０４の上側周面に案内されて向きが変わるように通されている。
この形態によっても、例えば、エアコン室外機Ａの質量がＷであるとした場合、このエアコン室外機Ａを固定対象部に向けて吊り上げるために紐状部材Ｓを引く力は、固定材３１６，３１７に備わる軸部材３０４が定滑車として、下側枠部３２１，３２２，３２３，３２４に備わる軸部材３０３が動滑車として作用するため、Ｗ／８となる。つまり、紐状部材Ｓを引く力がエアコン室外機Ａのほぼ８分の１で足りる。
本形態においても、吊上げ部材２０を吊り上げた後、下側枠部３２１，３２２，３２３，３２４の上端部と固定材３１６，３１７とを締結するようになっている。この締結は、第２の変形形態とは異なり、図２７に第２の下側枠部３２２の場合を例に示すように、第２の下側枠部３２２の上端部内面に備わる下側が開口する断面略Ｕ字状の掛止材３２２Ｚを利用して行う。本形態では、図２６中に拡大して第２の下側枠部３２２の場合を例に示すように、固定材３１６が、図示しない固定対象面にボルト止めされる水平片３１６Ｘと、この水平片３１６Ｘの一端縁から下方に折れ曲る垂直片３１６Ｙと、この垂直片３１６Ｙの下端縁から水平片３１６Ｘの延在方向とは反対側に折れ曲る底面片３１６Ｗと、この底面片３１６Ｗの先端縁から上方に折れ曲る受け掛止片３１６Ｚと、から主になる。したがって、この受け掛止片３１６Ｚに上方から先の掛止材３２２Ｚを引っ掛けるのみで、各下側枠部３２１，３２２，３２３，３２４と固定材３１６，３１７とを仮締結することができ、この時点でエアコン室外機Ａを吊り上げるための力が必要なくなる。よって、その後、固定材３１６，３１７の受け掛止片３１６Ｚに形成された切り欠き３１６Ａ、及び掛止材３２２Ｚに形成されたボルト孔３２２Ｚａにボルト３１６Ｖを通し、ボルト止めする連結作業を確実に行うことができる。なお、切り欠き３１６Ａも、エアコン室外機Ａの幅方向に長形とされており、この幅方向に関して、下側枠部３２１，３２２，３２３，３２４の位置がずれていても締結することができるようになっている。
以上のように、この第３の変形形態は、第２の変形形態と比較して吊上げ後の連結が容易となっているが、吊上げるまでの作業自体も容易になるように工夫が凝らされている。
すなわち、前述した第２の変形形態においては、固定材２１６，２１７に沿って紐状部材Ｓを通すのが、若干不便である。これは、図２０から明らかなように、垂直片２１６Ｙから横方向に突出する軸部材２０４の先端部が、水平片２１６Ｘから下方に突出する支持材２０４ａの先端部に接続されて支持されており、したがって、紐状部材Ｓを固定材２１６，２１７に沿わるにあたっては、水平片２１６Ｘ、垂直片２１６Ｙ、軸部材２０４、支持材２０４ａで囲まれる空間に横方向（固定材２１６，２１７に沿った方向）から紐状部材Ｓを差し込まなければならなかったためである。しかしながら、第３の変形形態においては、図２６から明らかなように、軸部材３０４の上方が開口しているため、この開口に向けて固定材３１６，３１７に沿う紐状部材Ｓを落とし込めば足りる（図２４参照）。この点、軸部材３０４の上方が開口している本形態においては、第２の変形形態とは逆に軸部材３０４の下方が開口しておらず、底面片３１６Ｗによって閉じられている。しかしながら、図２７に示すように、本形態では、この底面片３１６Ｗの、一対の軸部材３０４の間に位置する部分に、切り欠き等による開口３１６Ｋが形成されている。したがって、先の開口から落とし込んだ紐状部材Ｓを、当該開口３１６Ｋを通して引き下げれば、紐状部材Ｓを各下側枠部３２１，３２２，３２３，３２４に備わる軸部材３０３側に位置させることができ、紐状部材Ｓを通す作業が困難とならない。
【００３７】
〔第４の変形形態〕
さらに、上側枠部を有しない形態について、第２の変形形態や第３の変形形態を改良した第４の変形形態を、説明する。
本形態の吊下げ装置も、図２８及び図２９に示すように、固定部材１０が、上階のベランダの下側（裏側）面等の水平面にエアコン室外機Ａの奥行き方向に離間してボルト等によって固定される一対の固定材４１６，４１７からなり、上側枠部を有しない。一方、吊上げ部材２０は、エアコン室外機Ａの幅方向に離間して並列配置された載置部４０から上方に延出する棒状で断面略コ字状の第１の下側枠部４２１及び第２の下側枠部４２２、並びに、これら第１及び第２の下側枠部４２１，４２２からエアコン室外機Ａの奥行き方向に離間して並列配置された載置部４０から上方に延出する棒状で断面略コ字状の第３の下側枠部４２３（図２４の符号３２３に対応）及び第４の下側枠部４２４を有する。また、第１及び第３の下側枠部４２１，４２３の下端部間には、水平方向を軸とする棒状の第１の架渡し部４４１（図２４の符号３４１に対応）が各下側枠部４２１，４２３の下端部と回動自在に連接され、第２及び第４の下側枠部４２２，４２４の下端部間には、水平方向を軸とする棒状の第２の架渡し部４４２が各下側枠部４２２，４２４の下端部と回動自在に連接され、これら第１及び第２の架渡し部４４１，４４２によって、載置部４０が構成されている。そして、固定材４１６，４１７には、それぞれ平面視で架渡し部４４１，４４２を挟んでエアコン室外機Ａの幅方向に関して対称となる位置に、エアコン室外機Ａの奥行き方向を軸とする滑車等の軸部材４０４が備えられている。また、下側枠部４２１，４２２，４２３，４２４の上下方向中間部より若干上側には、エアコン室外機Ａの幅方向を軸とする円柱状の軸部材４０３が、それぞれ備えられている。この軸部材３０３も、第２の変形形態における軸部材２０３と同様の構成とすることができる。さらに、図示はしないが、固定材４１６，４１７の第２又は第４の下側枠部４２２，４２４側の端部には、第２の変形形態と同様に、紐状部材Ｓを固定するための固定ピンを備えることができる。
本形態においては、例えば、図示しない固定ピンで固定される等して、固定材４１７に紐状部材Ｓが備えられている。そして、この紐状部材Ｓは、図示しない固定ピンから固定材４１７に沿って固定ピンに最も近い軸部材４０４に向かった後、この軸部材４０４の上側周面に案内されて向きが変わり、この向きが変わった紐状部材Ｓが、第４の下側枠部４２４に備わる軸部材４０３に向かった後、この軸部材４０３の下側周面に案内されて向きが変わり、この向きが変わった紐状部材Ｓが、固定材４１７の固定ピンに２番目に近い軸部材４０４に向かった後、この軸部材４０４の上側周面に案内されて向きが変わり、この向きが変わった紐状部材Ｓが、固定材４１７に沿って固定ピンに３番目に近い軸部材４０４に向かった後、この軸部材４０４の上側周面に案内されて向きが変わり、この向きが変わった紐状部材Ｓが、第３の下側枠部４２３に備わる軸部材４０３に向かった後、この軸部材４０３の下側周面に案内されて向きが変わり、この向きが変わった紐状部材Ｓが、固定材４１７の固定ピンから最も遠い軸部材４０４に向かった後、この軸部材４０４の上側周面に案内されて向きが変わり、この向きが変わった紐状部材Ｓが、固定材４１７の固定ピンとは反対側の端部に備わる図示しない上下方向を軸とする軸部材に向かった後、この軸部材の周面に案内されて向きが変わり、この向きが変わった紐状部材Ｓが、固定材４１６の固定ピンとは反対側の端部に備わる図示しない上下方向を軸とする軸部材に向かった後、この軸部材の周面に案内されて向きが変わり、この向きが変わった紐状部材Ｓが、固定材４１６に沿って固定材４１６の固定ピンから最も遠い軸部材４０４に向かった後、この軸部材４０４の上側周面に案内されて向きが変わり、この向きが変わった紐状部材Ｓが、第１の下側枠部４２１に備わる軸部材４０３に向かった後、この軸部材４０３の下側周面に案内されて向きが変わり、この向きが変わった紐状部材Ｓが、固定材４１６の固定ピンに３番目に近い軸部材４０４に向かった後、この軸部材４０４の上側周面に案内されて向きが変わり、この向きが変わった紐状部材Ｓが、固定材４１６に沿って固定ピンに２番目に近い軸部材４０４に向かった後、この軸部材４０４の上側周面に案内されて向きが変わり、この向きが変わった紐状部材Ｓが、第２の下側枠部４２２に備わる軸部材４０３に向かった後、この軸部材４０３の下側周面に案内されて向きが変わり、この向きが変わった紐状部材Ｓが、固定材４１６の固定ピンから最も近い軸部材４０４に向かった後、この軸部材４０４の上側周面に案内されて向きが変わるように通されている。
この形態によっても、例えば、エアコン室外機Ａの質量がＷであるとした場合、このエアコン室外機Ａを固定対象部に向けて吊り上げるために紐状部材Ｓを引く力は、固定材４１６，４１７に備わる軸部材４０４が定滑車として、下側枠部４２１，４２２，４２３，４２４に備わる軸部材４０３が動滑車として作用するため、Ｗ／８となる。つまり、紐状部材Ｓを引く力がエアコン室外機Ａのほぼ８分の１で足りる。
本形態においても、吊上げ部材２０を吊り上げた後、下側枠部４２１，４２２，４２３，４２４の上端部と固定材４１６，４１７とを締結するようになっている。この締結は、第３の変形形態とは異なり、第２の変形形態と同様に行うようになっている。
すなわち、固定材４１６，４１７の垂直片４１６Ｙに形成された切り欠き４１６Ａにボルト４１６Ｖを通すことによって行うことができる。また、切り欠き４１６Ａは、エアコン室外機Ａの幅方向に長形とされており、この幅方向に関して、下側枠部４２１，４２２，４２３，４２４の位置がずれていても締結することができるようになっている。
また、この第４の変形形態は、第３の変形形態と同様に、第２の変形形態と比較して吊上げるまでの作業自体が容易になるように工夫が凝らされている。
すなわち、前述したように第２の変形形態においては、固定材２１６，２１７に沿って紐状部材Ｓを通すのが、若干不便である。しかしながら、本第４の変形形態においては、図２９中の拡大図から明らかなように、固定材４１６等が、図示しない固定対象面にボルト止めされる水平片４１６Ｘと、この水平片４１６Ｘの一端縁から下方に折れ曲る垂直片４１６Ｙと、この垂直片４１６Ｙの下端部から内方に円弧状に折り返される円弧片４１６Ｗと、から主になる。そして、この円弧片４１６Ｗ内に軸部材４０４が設けられている。したがって、本形態においては、固定材４１６，４１７に沿う紐状部材Ｓを円弧片４１６Ｗ内に向けて軸部材４０４に引っ掛かるように落とし込めば足りる（図２８参照）。
この点、軸部材４０４の上方が開口している本形態においては、第２の変形形態とは逆に軸部材４０４の下方が開口しておらず、円弧片４１６Ｗによって閉じられている。しかしながら、本形態においても第３の変形形態と同様に、この円弧片４１６Ｗの、一対の軸部材４０４の間に位置する部分に、切り欠き等による開口を形成しておけば、落とし込んだ紐状部材Ｓを、当該開口を通して引き下げ、各下側枠部４２１，４２２，４２３，４２４に備わる軸部材４０３側に位置させることができ、紐状部材Ｓを通す作業が困難とならない。
【００３８】
〔その他〕
○  本形態の吊下げ装置は、固定対象部が特に限定されず、例えば、上階のベランダの下側（裏側）面や、窓横、窓上の壁面、重物固定用のフレーム等を固定対象部とすることができる。
【産業上の利用可能性】
【００３９】
本発明は、エアコン室外機等の重物の吊下げ装置として、適用可能である。
【図面の簡単な説明】
【００４０】
【図１】第１の基本形態の概念図である。
【図２】第２の基本形態の概念図である。
【図３】第１の具体的形態の斜視図である。
【図４】第２の具体的形態の斜視図である。
【図５】第３の具体的形態の斜視図である。
【図６】第４の具体的形態の斜視図である。
【図７】第５の具体的形態の斜視図である。
【図８】第６の具体的形態の斜視図である。
【図９】接続形態の変形例（正面図）である。
【図１０】接続形態の変形例（斜視図）である。
【図１１】載置部の変形例（斜視図）である。
【図１２】ナット孔がずれている場合の問題を説明するための図である。
【図１３】固定材のスライドを説明するための図である。
【図１４】滑車の形態例（斜視図）である。
【図１５】滑車に対する紐状部材の通し方を説明するための図である。
【図１６】第１の変形形態の斜視図である。
【図１７】連結部材の斜視図である。
【図１８】第２の変形形態の正面図である。
【図１９】第２の変形形態の平面図である。
【図２０】第２の変形形態の側面図である。
【図２１】第２の変形形態の側面図である。
【図２２】軸部材の斜視図である。
【図２３】固定ピンの斜視図である。
【図２４】第３の変形形態の斜視図である。
【図２５】第３の変形形態の正面図である。
【図２６】第３の変形形態の側面図である。
【図２７】第３の変形形態の要部拡大図である。
【図２８】第４の変形形態の正面図である。
【図２９】第４の変形形態の側面図である。
【符号の説明】
【００４１】
３…軸部材（滑車）、１０…固定部材、１１，１２，１３，１４…上側枠部、１６，１７…架渡し部、１８…固定材、２０…吊上げ部材、２１，２２，２３，２４…下側枠部、２５…Ｌ字部材、４０…載置部、４１，４２…架渡し部、４３，４４…固定材、１２０…連結部材、Ａ…エアコン室外機、Ｓ，Ｓ１，Ｓ２…紐状部材。
【図１】
0005253764.tif 000002
【図２】
0005253764.tif 000003
【図３】
0005253764.tif 000004
【図４】
0005253764.tif 000005
【図５】
0005253764.tif 000006
【図６】
0005253764.tif 000007
【図７】
0005253764.tif 000008
【図８】
0005253764.tif 000009
【図９】
0005253764.tif 000010
【図１０】
0005253764.tif 000011
【図１１】
0005253764.tif 000012
【図１２】
0005253764.tif 000013
【図１３】
0005253764.tif 000014
【図１４】
0005253764.tif 000015
【図１５】
0005253764.tif 000016
【図１６】
0005253764.tif 000017
【図１７】
0005253764.tif 000018
【図１８】
0005253764.tif 000019
【図１９】
0005253764.tif 000020
【図２０】
0005253764.tif 000021
【図２１】
0005253764.tif 000022
【図２２】
0005253764.tif 000023
【図２３】
0005253764.tif 000024
【図２４】
0005253764.tif 000025
【図２５】
0005253764.tif 000026
【図２６】
0005253764.tif 000027
【図２７】
0005253764.tif 000028
【図２８】
0005253764.tif 000029
【図２９】
0005253764.tif 000030